(57)【要約】【課題】持ち運びの際の便利さや、収容される包装箱を更に小さくすることができる液晶表示装置を提供すること。【解決手段】液晶表示パネル１と、この液晶表示パネル１を支持する第１支持体２と、液晶表示パネル１を駆動するための電源回路や制御回路が収容される第２支持体３と、この第２支持体３の上部前方側に設けられ、第１支持体２を起立姿勢と収容姿勢に切り換え可能な回転支持部１０とを備えた。【選択図】　　図４
0003096853.tif 000002
【実用新案登録請求の範囲】
【請求項１】
液晶表示パネルと、
この液晶表示パネルを収容する第１支持体と、
前記液晶表示パネルを駆動するための電源回路や制御回路が収容される第２支持体と、
この第２支持体の上部前方側に設けられ、前記第１支持体を起立姿勢と収容姿勢に切り換え可能な回転支持部とを備えた液晶表示装置。
【請求項２】
前記第１支持体及び前記第２支持体は、略直方体形状を有しており、前記収容姿勢において、前記第１支持体の裏面側と、前記第２支持体の上面側が、ほぼ密着状態になるように折りたたまれる請求項１に記載の液晶表示装置。
【請求項３】
前記第１支持体の裏面側の上部に壁掛け用フックを設けており、前記収容姿勢とすることで壁掛け用として用いることができ、前記起立姿勢とすることで据え置き用として用いることができるように構成した請求項２に記載の液晶表示装置
【考案の詳細な説明】
【０００１】
【考案の属する技術分野】
本考案は、液晶表示パネルと、この液晶表示パネルを支持する第１支持体と、前記液晶表示パネルを駆動するための電源回路や制御回路が収容される第２支持体とを備えた液晶表示装置に関する。
【０００２】
【従来の技術】
パソコンその他のモニター用として、液晶表示装置が用いられている。液晶表示装置は、ＣＲＴに比べて薄型にできるため、ＣＲＴに代わって用いられつつある。液晶表示装置の場合は、液晶表示パネルを収容する第１支持体も薄型になるため、据え置き用の場合は、この第１支持体を支持するための別の第２支持体も必要になる。
【０００３】
【考案が解決しようとする課題】
かかる液晶表示装置の課題は、以下の通りである。液晶表示パネルそのものは、薄型にできるものの、安定した状態で設置するためには、第２支持体により支持しなければならない。また、安定した状態で設置するには、第２支持体の奥行き寸法は、液晶表示パネルよりも大きな寸法が必要とされる。したがって、液晶表示装置の全体でみれば、まだ奥行き寸法が大きいため、依然として持ち運びの際に不便な面がある。また、包装箱に包装する場合も、液晶表示パネルの奥行き寸法に対応した大きな包装箱が必要とされる。
本考案は上記実情に鑑みてなされたものであり、その課題は、持ち運びの際の便利さや、収容される包装箱を更に小さくすることができる液晶表示装置を提供することである晶
【課題を解決するための手段】
上記課題を解決するため本考案に係る液晶表示装置は、
液晶表示パネルと、
この液晶表示パネルを収容する第１支持体と、
前記液晶表示パネルを駆動するための電源回路や制御回路が収容される第２支持体と、
この第２支持体の上部前方側に設けられ、前記第１支持体を起立姿勢と収容姿勢に切り換え可能な回転支持部とを備えたことを特徴とするものである。
液晶表示パネルは第１支持体に収容されるが、液晶表示パネルを駆動するための電源回路や制御回路は、第２支持体に収容される。その分、第１支持体を薄型にできる。また、第２支持体の上部前方側に、回転支持部が設けられており、第１支持体を回転させて起立姿勢と収容姿勢とに切り換え可能である。したがって、据え置き用として使用する場合は、第１支持体を起立姿勢にしておけばよく、液晶表示装置を運搬したり包装箱に収容する場合は、収容姿勢に切り換えればよい。その結果、持ち運びの際の便利さや、収容される包装箱を更に小さくすることができる液晶表示装置を提供することができる
【０００４】
上記構成において、前記第１支持体及び前記第２支持体は、略直方体形状を有しており、前記収容姿勢において、前記第１支持体の裏面側と、前記第２支持体の上面側が、ほぼ密着状態になるように折りたたまれることが好ましい。
【０００５】
第１・第２支持体を略直方体とすることで、収容姿勢における液晶表示装置のサイズをコンパクトにすることができる。すなわち、収容姿勢において、第１支持体の裏面側と第２支持体の上面側をほぼ密着させることで、コンパクトな形に折りたたむことができる。
【０００６】
更に、前記第１支持体の裏面側の上部に壁掛け用フックを設けており、前記収容姿勢とすることで壁掛け用として用いることができ、前記起立姿勢とすることで据え置き用として用いることがより好ましい。
【０００７】
この構成によると、収容姿勢にした状態で壁掛け用としても使用することができる。つまり、据え置き用と壁掛け用を兼用することができる。これにより、ユーザーの好みに広範囲に対応することができる。
【０００８】
更に、前記第２支持体の側面部に、放熱用の孔を複数形成することで、放熱を効率良く行うことができる。
【０００９】
【考案の実施の形態】
本考案に係る液晶表示装置の好適な実施形態を図面を用いて説明する。図１は、液晶表示装置の外観斜視図、図２は正面図、図３は平面図、図４は起立姿勢の側面図、図５は収容姿勢の側面図を示す。ここに例示される液晶表示装置は、パソコン用のモニターとして使用される。
【００１０】
＜構成＞
液晶表示装置は、液晶表示パネル１を備え、この液晶表示パネル１は第１支持体２により収容されている。第１支持体２は、正面カバー部材４と背面カバー部材５により構成され、正面カバー部材４には開口部４ａが形成される。これらカバー部材４，５は、例えばプレス成形により形成される。第１支持体２の一番正面側には、保護カバー６が取り付けられる。保護カバー６は、例えばアクリル製である。第１支持体２は、全体としてほぼ直方体形状に形成されている。また、第１支持体２は、薄型に形成され、奥行き寸法は２５ｍｍ程度である。第１支持体２の裏面側上部に壁掛け用フック７が設けられている。第１支持体２には、液晶表示パネル１の他に、バックライト用の光源や拡散板も収容される。
【００１１】
なお、第１支持体２の液晶表示画面のある方を正面側（前方側）と称し、その反対側を裏面側と称する。
【００１２】
第２支持体３は、上部カバー部材８と底部カバー部材９により構成され、これらは、例えばプレス成形により形成される。第２支持体３も、全体としてほぼ直方体形状に形成され、高さ寸法は４５ｍｍ程度である。第２支持体３の内部には、電源回路や制御回路が組み込まれる。これらの回路を第１支持体２の内部に収容すると、第１支持体２の奥行き寸法が大きくなるが、本考案では第２支持体３のほうに組みこむので、第１支持体２を薄型にできる。上記電源回路は、商用の交流１００Ｖを所定の直流電圧に変換するための回路である。制御回路は、表示すべき画像情報をパソコン本体から受け取り、液晶を駆動制御するための回路である。
【００１３】
第２支持体３の正面から見て右側の側面部には、スイッチ８ａが６個設けられている（図４参照）。例えば、液晶表示パネルの輝度調節を行う場合に操作される。上部カバー部材８の上部には、マグネット８ｂが形成されている（図３参照）。背面カバー部材５には、このマグネット８ｂに対応する位置に、マグネットキャッチ用鉄板５ａが設けられる。
【００１４】
第２支持体３の背面側には、コネクタ８ｃが設けられており、パソコン本体とケーブルにより接続される。また、第２支持体３の正面から見て左側には、電源コード収容部が設けられ、コード蓋８ｄとコード蓋８ｄを開けるための切り欠き８ｅが設けられている。第２支持体３の底面には、ゴム製の脚９ａが４ヶ所設けられている。
【００１５】
第２支持体３の上部前方側には、回転支持部１０が取り付けられている（図４参照）。回転支持部１０は、第１支持体２を回転軸芯周りに回転可能に支持する。回転軸芯は、図４の紙面に垂直な方向である。第１支持体２の下部には、回転軸支持板１１が設けられている。第１支持体２の液晶表示パネル１と第２支持体３の制御回路とを接続するために、配線ケーブル１２が設けられる。なお、第１支持体２を回転支持する構造については、本実施形態に限定されるものではない。
【００１６】
なお、第２支持体３の脚９ａが設けられている側を底面側と称し、第１支持体２が取り付けられる側を上面側と称する。
＜作用
既に述べたように、第１支持体２は、第２支持体３に対して相対的に回転させることができる。図４は、第１支持体２を起立姿勢にした状態である。起立姿勢では、液晶表示パネル１は、第２支持体３（水平面）に対して、９０゜あるいはほぼ９０゜になるように設定されている。ただし本考案として、角度は９０゜に限定されるものではない。回転軸支持板１１は、ストッパーとしての機能も有しており、第１支持体２が９０゜以上回転しない様にしている。液晶表示装置を据え置き用として使用する場合は、図４のように起立姿勢にして使用する。
【００１７】
次に、第１支持体２を回転させて図５のように収容姿勢にすることができる。収容姿勢にすることで、持ち運びが容易になり、全体のサイズもコンパクトになる。収容姿勢では、第２支持体３側のマグネット８ｂに、第１支持体２側の鉄板５ａが吸着されるので、確実に収容姿勢を保持することができる。収容姿勢では、第１支持体２の裏面側と、第２支持体３の上面側が、ほぼ密着した状態になり、奥行き寸法を小さくすることができる。包装箱に収容するときも、この収容姿勢にて包装する。これにより、包装箱を小さくすることができる。下面板やケースに入れて持ち運ぶ場合も同様である。回転支持部１０を第２支持体３の上部前方側に設けているので、折りたたんだ状態での高さ寸法も第１支持体２の高さ寸法とほぼ同じにすることができるので、この点においてもコンパクトな形で収容することができる。
【００１８】
さらに、収容姿勢にした状態で壁掛け用としても使用することができる。すなわち、本考案に係る液晶表示装置は、据え置き用としても使用できるし、壁掛け用としても使用することができる。
【００１９】
＜別実施形態＞
本考案に係る液晶表示装置は、パソコン用に限定されるものではない。
【図面の簡単な説明】
【図１】本実施形態に係る液晶表示装置の外観斜視図
【図２】液晶表示装置の正面図
【図３】液晶表示装置の平面図
【図４】液晶表示装置の側面図（起立姿勢）
【図５】液晶表示装置の側面図（収容姿勢）
【符号の説明】
１　　　液晶表示パネル
２　　　第１支持体
３　　　第２支持体
４　　　正面カバー部材
５　　　背面カバー部材
６　　　保護カバー
７　　　壁掛け用フック
８　　　上部カバー部材
９　　　底部カバー部材
１０　　回転支持部
１１　　回転軸支持板
【図１】
0003096853.tif 000003
【図２】
0003096853.tif 000004
【図３】
0003096853.tif 000005
【図４】
0003096853.tif 000006
【図５】
0003096853.tif 000007